【手続補正書】
【提出日】平成27年1月16日(2015.1.16)
【手続補正１】
【補正対象書類名】明細書
【補正対象項目名】０００６
【補正方法】変更
【補正の内容】
【０００６】
上記目的を達成するために、本発明は、シャッタばねをチャージしてシャッタ駆動部材を保持する保持状態と、前記シャッタばねをチャージしたまま前記保持状態を解除する解除状態と、前記解除状態から前記シャッタばねによって前記シャッタ駆動部材を走行させた走行完了状態とに切り換わるシャッタと、前記シャッタを前記走行完了状態から前記保持状態へ駆動するとともに、前記シャッタを前記保持状態から前記解除状態へ駆動するシャッタ駆動用モータと、撮影光路に侵入するミラーダウン状態と、前記撮影光路から退避するミラーアップ状態とに切り換わるミラーと、前記ミラーを前記ミラーダウン状態から前記ミラーアップ状態へ駆動するミラー駆動用モータと、前記シャッタ駆動用モータを駆動する駆動状態と、前記シャッタ駆動用モータを減速させる第１のブレーキ状態と、前記第１のブレーキ状態よりも強く前記シャッタ駆動用モータを減速させる第２のブレーキ状態と、前記シャッタ駆動用モータを空転させるオープン状態とに切り換えて制御する制御手段と、前記ミラー駆動用モータが前記ミラーを前記ミラーダウン状態から前記ミラーアップ状態への駆動を開始できる状態となったか否かを判定する第１の判定手段と、前記シャッタ駆動用モータを前記第１のブレーキ状態から前記第２のブレーキ状態に切り換えるか否かを判定する第２の判定手段と、を備え、前記シャッタ駆動用モータが前記シャッタを前記保持状態まで駆動した後、前記第１の判定手段にて前記ミラー駆動用モータが前記ミラーを前記ミラーアップ状態への駆動を開始できる状態となっていないと判定される場合、前記制御手段は、前記シャッタ駆動用モータを前記第１のブレーキ状態とし、前記シャッタ駆動用モータを前記第１のブレーキ状態とした後、前記第２の判定手段がシャッタ駆動用モータを前記第２のブレーキ状態に切り換えると判定する前に、前記第１の判定手段にて前記ミラー駆動用モータが前記ミラーを前記ミラーアップ状態への駆動を開始できる状態となったと判定される場合には、前記制御手段は、前記第１の判定手段にて前記ミラー駆動用モータが前記ミラーを前記ミラーアップ状態への駆動を開始できる状態となったと判定されてから所定時間が経過するまで、前記シャッタ駆動用モータを前記オープン状態に切り換えることを特徴とする。
【手続補正２】
【補正対象書類名】明細書
【補正対象項目名】００８０
【補正方法】変更
【補正の内容】
【００８０】
ステップＳ６０１において、システム制御部５０は、連続撮影のコマ速を安定させるための時間の計測をコマ速安定タイマーに開始させる。コマ速安定タイマーは、連続撮影中のミラーアップ開始タイミングを規定するタイマーであり、ミラーダウン動作に要する時間や連続撮影のコマ間での測光、焦点検出時間のばらつきを吸収するためのものである。その後、システム制御部５０は、処理をステップＳ６０２へ進める。
【手続補正３】
【補正対象書類名】明細書
【補正対象項目名】００８１
【補正方法】変更
【補正の内容】
【００８１】
ステップＳ６０２において、システム制御部５０は、ミラー駆動用モータ４１ａの通電を開始する。ここで、ミラー駆動用モータ４１ａへの通電は、ミラー１３０を撮影光路内に侵入させるためのミラーダウン動作を行うための通電である。これにより、ミラー１３０がミラーダウン動作を開始する。
【手続補正４】
【補正対象書類名】明細書
【補正対象項目名】００８２
【補正方法】変更
【補正の内容】
【００８２】
ステップＳ６０３において、システム制御部５０は、ミラー１３０がミラーダウン完了位置に到達し、ブレーキをかける位置に到達したか否か、すなわちミラーダウン動作が完了したか否かを判定する。システム制御部５０は、ミラーダウン動作が完了していないと判定した場合（ステップＳ６０３でＮＯ）、ステップＳ６０３を繰り返す。システム制御部５０は、ミラーダウン動作が完了したと判定した場合（ステップＳ６０３でＹＥＳ）、ミラー駆動用モータ４１ａの通電を停止し、処理をステップＳ６０４へ進める。
【手続補正５】
【補正対象書類名】明細書
【補正対象項目名】００８３
【補正方法】変更
【補正の内容】
【００８３】
ステップＳ６０４において、システム制御部５０は、焦点検出部４２による焦点検出処理、測光部４６による測光処理をおこなわせ、それぞれの処理結果を受ける。システム制御部５０は、焦点検出処理及び測光処理の両方の結果を受けたことに応じて、処理をＳ６０５へ進める。測光処理及び焦点検出処理が完了していることによって、判定部５０ａはミラーダウン状態からミラーアップ状態への切り換えが可能になったと判定する。
【手続補正６】
【補正対象書類名】明細書
【補正対象項目名】００８４
【補正方法】変更
【補正の内容】
【００８４】
ステップＳ６０５において、システム制御部５０は、第２のスイッチＳＷ２の状態を検出する。システム制御部５０は、第２のスイッチＳＷ２がオフされている場合（ステップＳ６０５でＮＯ）、撮影終了指示を受け付けたと判断し、連続撮影を終了する。システム制御部５０は、シャッタスイッチＳＷ２（６４）がオンされている場合（ステップＳ６０５でＹＥＳ）、処理をステップＳ６０６へ進める。
【手続補正７】
【補正対象書類名】明細書
【補正対象項目名】００８５
【補正方法】変更
【補正の内容】
【００８５】
ステップＳ６０６において、システム制御部５０は、メモリ３０、および記録ユニット２００内に十分な空き容量があるかなどを判定する。システム制御部５０は、十分な空き容量が画像メモリに確保されていないと判定した場合（ステップＳ６０６でＮＯ）、処理をステップＳ６０５へ進める。システム制御部５０は、十分な空き容量が画像メモリに確保されていると判定した場合（ステップＳ６０６でＹＥＳ）、処理をＳ６０７へ進める。
【手続補正８】
【補正対象書類名】明細書
【補正対象項目名】００８６
【補正方法】変更
【補正の内容】
【００８６】
ステップＳ６０７において、システム制御部５０は、コマ速安定タイマーの計測が完了したか否かを判定する。すなわち、ミラー１３０がミラーアップ状態からミラーダウン状態への切り換えを開始してからあらかじめ設定した時間が経過したか否かを判定する。システム制御部５０は、計測が完了していないと判定した場合（ステップＳ６０７でＮＯ）、処理をステップＳ６０５へ進める。システム制御部５０は、計測が完了していると判定した場合（ステップＳ６０７でＹＥＳ）、処理をステップＳ６０８へ進める。
【手続補正９】
【補正対象書類名】明細書
【補正対象項目名】００８７
【補正方法】変更
【補正の内容】
【００８７】
ステップＳ６０８において、システム制御部５０は、ミラーアップ開始フラグＭＵＰ＿ＦＬＧに、ミラーダウン状態からミラーアップ状態への切り換えが可能になったことを示す値（例えば、１）をセットする。
【手続補正１０】
【補正対象書類名】明細書
【補正対象項目名】００８８
【補正方法】変更
【補正の内容】
【００８８】
ステップＳ６０９において、システム制御部５０は、ミラー駆動用モータ４１ａの通電を開始する。ここで、ミラー駆動用モータ４１ａへの通電は、ミラー１３０を撮影光路外に退避させるためのミラーアップ動作を行うための通電である。これにより、ミラー１３０がミラーアップ動作を開始する。
【手続補正１１】
【補正対象書類名】明細書
【補正対象項目名】００８９
【補正方法】変更
【補正の内容】
【００８９】
ステップＳ６１０において、システム制御部５０は、ミラー１３０がミラーアップ状態まで到達したか否かの判定を行う。すなわち、ミラーアップ動作が完了したか否かの判定を行う。システム制御部５０は、ミラーアップ動作が完了していないと判定した場合（ステップＳ６１０でＮＯ）、ステップＳＳ６１０を繰り返す。システム制御部５０は、ミラーアップ動作が完了したと判定した場合（ステップＳ６１０でＹＥＳ）、ミラー駆動用モータ４１ａへの通電を切る。そして、処理をステップＳ６５０へ進めるための待機状態に移行させる。
【手続補正１２】
【補正対象書類名】明細書
【補正対象項目名】００９０
【補正方法】変更
【補正の内容】
【００９０】
ステップＳ６１１において、システム制御部５０の制御部５０ｃは、シャッタ駆動用モータ４０ｂの通電をおこない、シャッタ１２をチャージするための動作を開始させる。
【手続補正１３】
【補正対象書類名】明細書
【補正対象項目名】００９２
【補正方法】変更
【補正の内容】
【００９２】
ステップＳ６１３において、システム制御部５０の判定部５０ａは、ミラーアップ開始フラグＭＵＰ＿ＦＬＧを確認することにより、ミラー駆動用モータ４１ａによるミラーダウン状態からミラーアップ状態への切り換えが可能な状態になったか否かを判定する。
【手続補正１４】
【補正対象書類名】明細書
【補正対象項目名】０１０２
【補正方法】変更
【補正の内容】
【０１０２】
ステップＳ６１９において、システム制御部５０の判定部５０ａは、ミラーアップ開始フラグＭＵＰ＿ＦＬＧを確認することにより、ミラー駆動用モータ４１ａによるミラーダウン状態からミラーアップ状態への切り換えが可能な状態になったか否かを判定する。
【手続補正１５】
【補正対象書類名】明細書
【補正対象項目名】０１０９
【補正方法】変更
【補正の内容】
【０１０９】
ステップＳ６１８において、システム制御部５０の判定部５０ｂは、カムギア４０１がショートブレーキ位置となった場合（ステップＳ６１８でＹＥＳ）、処理をステップＳ６２４へ進める。ステップＳ６２４において、システム制御部５０の制御部５０ｃは、シャッタ駆動用モータ４０ｂのＯＵＴ１端子にＬｏｗ信号を入力し、シャッタ駆動用モータ４０ｂのＯＵＴ２端子にＨｉ信号を入力する。これによって、シャッタ駆動用モータ４０ｂをショートブレーキ状態とする。その後、処理をステップＳ６２５へ進める。
【手続補正１６】
【補正対象書類名】明細書
【補正対象項目名】０１１０
【補正方法】変更
【補正の内容】
【０１１０】
ステップＳ６２５において、システム制御部５０の判定部５０ａは、ミラーアップ開始フラグＭＵＰ＿ＦＬＧを確認することにより、ミラー駆動用モータ４１ａによるミラーダウン状態からミラーアップ状態への切り換えが可能な状態になったか否かを判定する。
【手続補正１７】
【補正対象書類名】明細書
【補正対象項目名】０１２４
【補正方法】変更
【補正の内容】
【０１２４】
第２の実施形態において、シャッタ駆動用モータ４０ｂは、出力軸が回転状態を示す信号をシステム制御部５０に出力する。したがって、システム制御部５０は、シャッタ駆動用モータ４０ｂの出力軸が回転しているか、停止しているかを判定することができる。これが、第２の判定手段として機能する。
【手続補正１８】
【補正対象書類名】明細書
【補正対象項目名】０１２７
【補正方法】変更
【補正の内容】
【０１２７】
ステップＳ７１３において、システム制御部５０の判定部５０ａは、ミラーアップ開始フラグＭＵＰ＿ＦＬＧを確認することにより、ミラー駆動用モータ４１ａによるミラーダウン状態からミラーアップ状態への切り換えが可能な状態になったか否かを判定する。
【手続補正１９】
【補正対象書類名】特許請求の範囲
【補正対象項目名】全文
【補正方法】変更
【補正の内容】
【特許請求の範囲】
【請求項１】
シャッタばねをチャージしてシャッタ駆動部材を保持する保持状態と、前記シャッタばねをチャージしたまま前記保持状態を解除する解除状態と、前記解除状態から前記シャッタばねによって前記シャッタ駆動部材を走行させた走行完了状態とに切り換わるシャッタと、
前記シャッタを前記走行完了状態から前記保持状態へ駆動するとともに、前記シャッタを前記保持状態から前記解除状態へ駆動するシャッタ駆動用モータと、
撮影光路に侵入するミラーダウン状態と、前記撮影光路から退避するミラーアップ状態とに切り換わるミラーと、
前記ミラーを前記ミラーダウン状態から前記ミラーアップ状態へ駆動するミラー駆動用モータと、
前記シャッタ駆動用モータを駆動する駆動状態と、前記シャッタ駆動用モータを減速させる第１のブレーキ状態と、前記第１のブレーキ状態よりも強く前記シャッタ駆動用モータを減速させる第２のブレーキ状態と、前記シャッタ駆動用モータを空転させるオープン状態とに切り換えて制御する制御手段と、
前記ミラー駆動用モータが前記ミラーを前記ミラーダウン状態から前記ミラーアップ状態への駆動を開始できる状態となったか否かを判定する第１の判定手段と、
前記シャッタ駆動用モータを前記第１のブレーキ状態から前記第２のブレーキ状態に切り換えるか否かを判定する第２の判定手段と、を備え、
前記シャッタ駆動用モータが前記シャッタを前記保持状態まで駆動した後、前記第１の判定手段にて前記ミラー駆動用モータが前記ミラーを前記ミラーアップ状態への駆動を開始できる状態となっていないと判定される場合、前記制御手段は、前記シャッタ駆動用モータを前記第１のブレーキ状態とし、
前記シャッタ駆動用モータを前記第１のブレーキ状態とした後、前記第２の判定手段がシャッタ駆動用モータを前記第２のブレーキ状態に切り換えると判定する前に、前記第１の判定手段にて前記ミラー駆動用モータが前記ミラーを前記ミラーアップ状態への駆動を開始できる状態となったと判定される場合には、前記制御手段は、前記第１の判定手段にて前記ミラー駆動用モータが前記ミラーを前記ミラーアップ状態への駆動を開始できる状態となったと判定されてから所定時間が経過するまで、前記シャッタ駆動用モータを前記オープン状態に切り換えることを特徴とする撮像装置。
【請求項２】
前記シャッタ駆動用モータを前記第１のブレーキ状態とした後、前記第１の判定手段にて前記ミラー駆動用モータが前記ミラーを前記ミラーアップ状態への駆動を開始できる状態となったと判定される前に、前記第２の判定手段がシャッタ駆動用モータを前記第２のブレーキ状態に切り換えると判定する場合には、前記制御手段は、前記シャッタ駆動用モータを前記第２のブレーキ状態に切り換え、前記第１の判定手段が前記ミラーを前記ミラーアップ状態への駆動を開始できる状態となったと判定してから所定時間が経過するまで、前記シャッタ駆動用モータの前記第２のブレーキ状態を継続することを特徴とする請求項１に記載の撮像装置。
【請求項３】
前記シャッタ駆動用モータが前記シャッタを前記保持状態まで駆動した後、前記第１の判定手段が前記ミラーを前記ミラーアップ状態への駆動を開始できる状態となったと判定する場合、前記制御手段は、前記シャッタ駆動用モータを前記保持状態で停止させることなく、前記解除状態まで前記シャッタ駆動用モータの前記駆動状態を継続することを特徴とする請求項１または２に記載の撮像装置。
【請求項４】
前記制御手段が前記シャッタ駆動用モータを前記第１のブレーキ状態とするとき、前記シャッタ駆動用モータのコイルに接続される端子にパルス信号が入力され、
前記制御手段が前記シャッタ駆動用モータを前記第２のブレーキ状態とするとき、前記シャッタ駆動用モータの前記端子を短絡させることを特徴とする請求項１ないし３のいずれか１項に記載の撮像装置。
【請求項５】
シャッタばねをチャージしてシャッタ駆動部材を保持する保持状態と、前記シャッタばねをチャージしたまま前記保持状態を解除する解除状態と、前記解除状態から前記シャッタばねによって前記シャッタ駆動部材を走行させた走行完了状態とに切り換わるシャッタと、
前記シャッタを前記走行完了状態から前記保持状態へ駆動するとともに、前記シャッタを前記保持状態から前記解除状態へ駆動するシャッタ駆動用モータと、
撮影光路に侵入するミラーダウン状態と、前記撮影光路から退避するミラーアップ状態とに切り換わるミラーと、
前記ミラーを前記ミラーダウン状態から前記ミラーアップ状態へ駆動するミラー駆動用モータと、
前記シャッタ駆動用モータを駆動する駆動状態と、前記シャッタ駆動用モータを減速させるブレーキ状態と、前記シャッタ駆動用モータを空転させるオープン状態とに切り換えて制御する制御手段と、
前記ミラー駆動用モータが前記ミラーを前記ミラーダウン状態から前記ミラーアップ状態への駆動を開始できる状態となったか否かを判定する第１の判定手段と、
前記シャッタ駆動用モータが停止しているか否かを判定する第２の判定手段と、を備え、
前記シャッタ駆動用モータが前記シャッタを前記保持状態まで駆動した後、前記第１の判定手段が前記ミラーを前記ミラーアップ状態への駆動を開始できる状態となったと判定しない場合、前記制御手段は、前記シャッタ駆動用モータを前記ブレーキ状態とし、
前記シャッタ駆動用モータを前記ブレーキ状態とした後、前記第２の判定手段が前記シャッタ駆動用モータの停止を判定する前に、前記判定手段が前記ミラーを前記ミラーアップ状態への駆動を開始できる状態となったと判定する場合には、前記制御手段は、前記第１の判定手段が前記ミラーを前記ミラーアップ状態への駆動を開始できる状態となったと判定してから所定時間が経過するまで、前記シャッタ駆動用モータを前記オープン状態に切り換えることを特徴とする撮像装置。
【請求項６】
前記シャッタ駆動用モータを前記ブレーキ状態とした後、前記第１の判定手段が前記ミラーを前記ミラーアップ状態への駆動を開始できる状態となったと判定する前に、前記第２の判定手段が前記シャッタ駆動用モータの停止を判定する場合には、前記制御手段は、前記第１の判定手段が前記ミラーを前記ミラーアップ状態への駆動を開始できる状態となったと判定してから所定時間が経過するまで、前記シャッタ駆動用モータの前記ブレーキ状態を継続することを特徴とする請求項５に記載の撮像装置。
【請求項７】
前記シャッタ駆動用モータが前記シャッタを前記保持状態まで駆動した後、前記第１の判定手段が前記ミラーを前記ミラーアップ状態への駆動を開始できる状態となったと判定する場合、前記制御手段は、前記シャッタ駆動用モータを前記保持状態で停止させることなく、前記解除状態まで前記シャッタ駆動用モータの前記駆動状態を継続することを特徴とする請求項５または６に記載の撮像装置。